(57)【要約】【課題】強く根を張った雑草であっても、根を残さずに小さな力で楽に除草することができる除草具を実現する。【解決手段】除草具本体１には、前方に向けて突出する草を挟むための一対の除草爪２,３を装着し、側方に向けて支点となる突出部４を形成する。除草具本体１には後方に向けて突出するハンドル５の先端を軸支する。ハンドルは、突出部４方向の一定範囲を回動可能とし、ハンドルの回動に連動させて除草爪３、４を開閉させ、除草爪を除草すべき草の根本に差し込んでハンドル５を押し下げることにより除草爪を閉じて草の根を掴み、除草具本体１の突出部４を支点として除草爪を引き起こすことによって、草の根を残すことなく除草する。【選択図】  図２
2015136295.tif 000002
【特許請求の範囲】
【請求項１】
除草具本体には前方に向けて突出する草を挟むための一対の除草爪を装着し、側方に向けて支点となる突出部を形成するとともに、除草具本体には後方に向けて突出するハンドルの先端を軸支して前記突出部方向の一定範囲を回動可能とし、ハンドルの回動に連動させて除草爪を開閉させ、除草爪を除草すべき草の根本に差し込んでハンドルを押し下げることにより除草爪を閉じて草の根を掴み、除草具本体の突出部を支点として除草爪を引き起こすことを特徴とする除草具。
【請求項２】
草を挟む一対の除草爪の基端は除草具本体に軸支し、一対の除草爪にはそれぞれ、前記除草具本体との軸支部よりも先方において、それぞれリンク杆の先端に軸支し、該リンク杆の基端は除草具本体に対して回動自在に軸支したハンドルの回動部から突出させた作動杆に軸支した連結杆の先端に軸支し、ハンドルの回動に連動して除草爪が開閉し、ハンドルを除草具本体の突出部方向に回動させることによって除草爪を閉じて草の根を掴むことを特徴とする請求項１記載の除草具。
【請求項３】
除草具本体から側方に突出させる突出部は、除草爪を土中に差し込むための足踏み板であって、ハンドルが回動する方向の側方へ突出させることによって該足踏み板の先端を支点として除草爪を引き上げることを特徴とする請求項１又は２記載の除草具。
【請求項４】
除草具本体には、除草爪の上面に回動し、付着した土や草を排除するための排土部材を設けたこと特徴とする請求項１ないし３のいずれかに記載の除草具。
【発明の詳細な説明】
【技術分野】
【０００１】
この発明は、強く根を張った雑草を、根元から容易に引き抜くことができる除草具に関する発明である。特に立ち姿勢で作業を行うことができる除草具に係る発明である。
【背景技術】
【０００２】
除草具は、片手で持ってしゃがんだ姿勢で作業を行うものが一般的であり、二股状の爪で草の根を掘り起こすものや、草の生えた地表を削りとるものが広く用いられている。このような、腰を屈めた姿勢で除草作業を行うのは、非常に疲れるものであるため、立姿勢で腰を伸ばした状態で除草作業を行うことが望まれている。
立ち姿勢によって除草を行う除草具として、シャフトの先端に爪状の挟持部を設け、挟持部の隣接位置に梃子部を設ける思想(特許文献１)や、操作部(棒状のハンドル)の先端に足踏み部を備えた抜き取り用刃部を備えた可動部を回転自在に連結し、可動部を所定位置に復帰させるためのバネを備える思想(特許文献２)、柄の先端に開閉可能な挟持部を設け、この挟持部を手元の操作部で開閉させる思想(特許文献３)などが提案されている。
【先行技術文献】
【特許文献】
【０００３】
【特許文献１】実用新案登録第３０７６５８０号公報
【特許文献２】特開２０１０−５７４３６号公報
【特許文献３】特開２０１０−７５０６１号公報
【発明の概要】
【発明が解決しようとする課題】
【０００４】
特許文献１ないし３に開示される除草具は、立ち姿勢で操作を行うものであるが、いずれも容易にかつ確実に雑草を根から抜き取ることができないものである。
特許文献１に開示された除草用抜根器は、バールのごとき挟持部を差し込んで梃子で起こすだけであり、草の根を掴むことができないため草の根を確実に引き抜くことができない。特許文献２に記載された発明は、抜き取り用刃部を雑草の根本に差し込み、足ふみの動作によって雑草を抜くことができるが、この発明においても雑草の根を掴むことができないため、雑草の根を確実に引き抜くことができない。
【０００５】
特許文献３に記載された発明は、グリップを握ることによって挟持部で地表に出ている草を掴み、草を掴んだ状態で挟持部を移動させることによって除草するものであるが、グリップの握りでは大きな力で草を掴むことができないとともに、雑草の地表部を挟持して挟持部を移動させるだけでは、雑草の根を確実に引き抜くことができない。
【０００６】
上記、従来技術の欠点に鑑み、本発明は雑草の根そのものを地中において除草爪でしっかりと掴んだ状態で引き起こすことによって、雑草を根を含めて確実引き抜くとともに、てこの原理で比較的小さな力で能率的に除草作業を行うことができる除草具を提供することを目的とするものである。
【課題を解決するための手段】
【０００７】
上記目的を達成する、請求項１記載の発明は、除草具本体１に草を挟むための一対の除草爪２、３を前方に向けて突出させるとともに、除草具本体の側方に向けて支点となる突出部４を形成する。また、除草具本体１には後方に向けて突出するハンドル５の先端を軸支して前記突出部４方向への一定範囲の回動可能とし、ハンドル５の回動に連動させて除草爪２、３を開閉させ、除草爪２、３を除草すべき草の根本に差し込んでハンドル５を押し下げることにより除草爪２、３を閉じて草の根を掴み、除草具本体１の突出部４を支点として除草爪２、３を引き起こすことによって除草を行う除草具である。
【０００８】
請求項２記載の発明は除草爪の開閉機構に関するものである。
草を挟む一対の除草爪２、３の基端は除草具本体１に軸支し、一対の除草爪にはそれぞれ、前記除草具本体１との軸支部よりも先方においてリンク杆６、７の先端に軸支する。該リンク杆６、７の基端は除草具本体１に対して回動自在に軸支したハンドル５の回動部８から突出させた作動杆９に軸支した連結杆10の先端に軸支し、ハンドル５の回動に連動して除草爪２、３が開閉し、ハンドル５を除草具本体１の突出部４方向に回動させることによって除草爪２、３を閉じて草の根を掴むことを特徴とする請求項１記載の除草具。
【０００９】
請求項３記載の発明は、除草具本体１から側方に突出させる突出部４が、除草爪２、３を土中に差し込むための足踏み板であって、ハンドル５が回動する方向の側方へ突出させるものである。そして、該足踏み板の先端を支点としててこの原理で除草爪を引き上げることである。
請求項４記載の考案は、除草爪２、３の上面に回動し、付着した土や草を排除するための排土部材を設けることである。
【発明の効果】
【００１０】
請求項１記載の発明によれば、深く根を張った雑草であっても、土中で根そのものを除草爪２、３で挟むことによって掴み、てこの原理で引き起こすことができる。そのため、比較的小さな力で深く根を張った雑草であっても容易に除草することができる。すなわち、除草する際に根を掴んだ状態で引き抜くため、なるべく根を残すことなく除草することができる。
【００１１】
請求項２記載の発明によれば、請求項１記載の発明を実施する上において簡単な構造で除草具を実現することができる。特に、除草爪２、３を土中に差し込んだ状態でハンドル５を倒す(回動させる)ことによってリンク機構で、大きな力が発生し土中において根をしっかりと掴むことができる。また、根を引き起こす(抜く)ために、長い寸法のハンドル５を倒す力が、同時に根を掴む力として作用するため、ハンドルを力強く倒せば倒す程、意識することなく根を強く掴むことができ、根を残すことなく確実に除草することができる。
【００１２】
請求項３記載の発明によれば、最も強い力が必要な除草爪２、３を草の根本に差し込む作業を、突出部４を足踏み板として踏みつけるという動作で、容易にかつ能率的に行うことができる。
請求項４記載の発明によれば、作業後除草爪に付着した土や草の根を、排土部材によって容易に取り除き、作業後の手入れを容易に行うことができる。
【図面の簡単な説明】
【００１３】
【図１】図１は、本発明除草具の除草爪を開いた状態の、内部構造を表した平面図、
【図２】図２は、図１のII−II線断面図、
【図３】図３は、除草爪を閉じた状態の、内部構造を表した平面図、
【図４】図４は、図３のVI−VI線断面図、
【図５】図５は、除草具本体に排土部材を設けた実施形態を示す平面図、
【図６】図６は、除草爪を草の根本に差し込んだ使用状態を示す全体図、
【図７】図７は、図６に示す状態から草を引き抜く状態を示す全体図。
【発明を実施するための形態】
【００１４】
以下、本発明に係る除草具の実施形態を添付の図面に基づいて説明する。図１は、本発明除草具の除草爪を開いた状態の、内部構造を表した平面図、図２は、図１のII−II線断面図である。
【００１５】
本発明に係る除草具は、大略、除草具本体１と、雑草を挟み込んで掴む一対の除草爪２、３と、長寸法のハンドル５によって構成している。除草具本体１には、長寸法のハンドル５の先端を、軸11によって一定の角度を回動可能な状態に取り付けて使用する。
すなわち、除草具本体１の基端部にハンドル５先端の回動部８が挿入される空所12を形成し、空所12にはハンドル５が一定角度だけ回動可能なように開口部を設け、この開口からハンドルの回動部８を空所12に挿入した状態で、水平方向の軸11によって軸支している。
【００１６】
除草具本体１の空所12に挿入するハンドルの回動部８には、斜め上前方に向けて作動杆９突出させ、作動杆９に連結杆10の基端部を水平方向の軸13で軸支している。連結杆10の先端には、上面にリンク杆６を、下面にリンク杆７を配置し、連結杆10とリンク杆６、７の三者を貫通させて垂直方向の軸14によって軸支している。
【００１７】
図２に示すように、ハンドルが持ち上げられて、ハンドルの回動部８が図面上左方向に回動した状態では、作動杆９基端の軸13支位置は、右方向に引っ張られており、ハンドル５の軸11と作動杆９基端の軸13の軸杆距離はＬ1である。次に、ハンドル５を、図面上右方向に回動させると、作動杆９は右方向に移動し、軸11と軸13の軸間距離は、前記軸間距離L1よりも短いL2となる。したがって、連結杆10は、寸法L1− L2だけ右方向に移動する。
【００１８】
除草具本体１には、前方に向けて一対の除草爪２、３を突出させている。除草爪２、３は、それぞれ基端部を垂直方向の軸15、16で軸支することによって開閉自在とし、図３に示すように閉じた状態において波形に形成した除草爪の対向面が噛合し、草の根をしっかりとキャッチ(掴む)することができる形状としている。
【００１９】
前記リンク杆６、７の先端は、それぞれ前記除草具本体１との軸支位置よりも先方において垂直方向の軸17,18によって軸支している。この構成とすることによって、図１、図２に示すように連結杆10が前方に移動した状態であると、除草爪２、３は開いている。
これに対して、連結杆10が後方に移動した状態であると、図３、図４に示すように、リンク杆６、７に引っ張られて除草爪２、３は閉じられている。すなわち、前記した、連結杆10の、寸法L1− L2の移動によって除草爪２、３は開閉される。
【００２０】
除草具本体１には、二つのコイルバネ19、20を設けている。このコイルバネは、除草爪２及び３を常時開放状態に付勢するために用いる。
すなわち、除草具本体１内の前後方向に収蔵したコイルバネ19、20は、軸15及び16の間において、除草爪２及び３の後端内側を前方に押し出すように作用させている。これにより、コイルバネ19,20の弾性によって、除草爪２、３は外方に向けて回動するように付勢され、外力を作用させない状態では、図１に示すように除草爪２、３が開いた状態に維持される。
【００２１】
除草具本体１には、側方(ハンドルを倒したときに下方となる側方)に向けて突出部４を形成している。突出部４の大きさ及び形状は、ハンドル５を側方に倒したときに、前方の除草爪２、３を持ち上げる支点となるものであれば特に限定されるものではないが、図示実施形態においては、突出部４が足踏み板となる幅と長さを具備したものであるとともに、ハンドル５を突出部４方向に倒したときに、突出部４の先端が支点として機能する長さとしている。足踏み板として機能する突出部４は、例えば幅５cm程度であって、上面が平面であって表面に滑り止めの凹凸を施すとよい。
【００２２】
以上述べた除草具を用いて、根が張った雑草を除草するには、図６に示すように雑草の根本に除草爪２、３部分を差し込む。除草爪２、３部分を差し込むには、除草爪２、３の先端を雑草の少し手前、もしくは中心に位置させ、突起部４を足踏み板として体重を掛けて強い力で差し込む。このとき、除草爪２、３は、図１に示すように開いた状態にある。
【００２３】
図６に示す状態から、ハンドル５を突出部４方向に倒すと、図７に示すように、図面上右方向に回動し、除草具本体１内において連結杆10が引っ張られることによって、図３、図４に示すように除草爪２、３が閉じられて雑草の根が掴まれる(挟持される)と同時に、除草爪２、３は突出部４の先端を支点として上方に引き起こされて引き抜かれる。
すなわち、長寸法のハンドル５を手前に倒す力が、てこの原理で大きな力となって、除草爪２、３を閉じる方向と、除草爪２、３を引き起こす両方向の力として作用する。そのため、雑草の根をしっかりと掴んで、強い力で引き抜くことが可能となる。
【００２４】
図６、図７との比較において理解されるように、突出部４を足で踏んで、除草爪２、３を土中に差し込む場合は、自然とハンドル５を矢印で示す外方向に押す力が作用し、除草爪２、３は開いた状態を維持する。これに対して、草を引き起こす場合は、図７に矢印で示すようにハンドル５を手前に引っ張ることによって一転鎖線で示す位置のハンドルが、手前の実線の位置に倒される(ハンドルと除草具本体が相対的に回動する)。この回動動作によって、除草爪２、３が閉じられるとともに、突出部４の先端Ｏを支点として、強い力で草が引き抜かれることになる。
【００２５】
除草具は、除草爪２、３を土中に差し込んで使用するため、使用することによって除草爪２、３に土が付着する。したがって、除草具の除草爪に付着した土を除去する排土手段を設けるのが好ましい。排土手段として、例えば図５に示すように除草具本体の上面に排土部材の一端を軸支し、除草爪の上を排土部材が回動するようにすることができる。
排土部材21には、例えばブラシを使用し、この排土部材21が除草具本体側に回動しており、除草作業の邪魔にならないようにし、使用後に手動によって除草爪の上面を通過させるようにすることができる。すなわち、排土部材21の軸にねじりバネを装着し、常時除草具本体１側に回動するようにしておき、使用後に図５に矢印で示すように、除草爪の上を通過させて回動し、手を放すことによって勢いよく除草爪の上をブラシが通過して排土できるようにしておくのが好ましい。
【００２６】
除草具本体１から突出させる突出部４は、ハンドル５を倒すときに支点となるものであればその具体的形状は任意に設計することができる。図示実施形態においては、除草具本体と一体に形成しているが、別部材を固定するものであってもよい。また、足踏み板形状以外の形状とすることもできる。
しかしながら、図示実施形態のように突出部４を除草具本体１と一体に形成することによって容易に製造することができ、足踏み板形状とすることによってより機能的な除草具を実現することができる。
【符号の説明】
【００２７】
１…除草具本体、  ２、３…除草爪、  ４…突出部、  ５…ハンドル、  ６、７…リンク杆、  ８…回動部、  ９…操作杆、  10…連結杆、  11…軸、  12…空所、  13〜18…軸、  19、20…コイルバネ、  21…排土部材。
【図１】
2015136295.tif 000003
【図２】
2015136295.tif 000004
【図３】
2015136295.tif 000005
【図４】
2015136295.tif 000006
【図５】
2015136295.tif 000007
【図６】
2015136295.tif 000008
【図７】
2015136295.tif 000009
【手続補正書】
【提出日】平成26年1月20日(2014.1.20)
【手続補正１】
【補正対象書類名】図面
【補正対象項目名】図３
【補正方法】変更
【補正の内容】
【図３】
2015136295.tif 000010
【手続補正２】
【補正対象書類名】図面
【補正対象項目名】図６
【補正方法】変更
【補正の内容】
【図６】
2015136295.tif 000011